(57)【特許請求の範囲】
【請求項１】
ユーザの把持によるセンサ信号を生成するグリップセンサ部と、
前記グリップセンサ部から供給されるセンサ信号に基づいてグリップセンサパターンを検出し、検出されたグリップセンサパターンに対応するアンテナチューニング情報および電源制御情報を確認して、前記アンテナチューニング情報および前記電源制御情報に対応して通信手段への供給電源を低減または増加する電源制御および通信手段のアンテナモジュールチューニング制御を同時に遂行することにより、携帯端末機の製品別にＳＡＲ国際規格に適合するように制御する制御部と、
前記制御部の制御より電源制御およびアンテナモジュールチューニングが行われる通信手段と、
を含むことを特徴とする通信環境により制御される携帯端末機。
【請求項２】
前記グリップセンサパターンに対応する少なくとも１つの参照グリップセンサパターンと、
前記参照グリップセンサパターンにそれぞれ対応する電源制御情報およびアンテナモジュールチューニング制御情報の両方を有する制御テーブルを格納する格納部と、
をさらに含むことを特徴とする請求項１に記載の通信環境により制御される携帯端末機。
【請求項３】
前記制御部は、
前記グリップセンサ部から供給されるセンサ信号を収集するセンサ信号収集部と、
前記収集されたセンサ信号からグリップセンサパターンを検出し、前記グリップセンサパターンに対応する参照グリップセンサパターンを検出するパターン確認部と、
前記パターン確認部から参照グリップセンサパターンに対応する電源制御情報およびアンテナモジュールチューニング制御情報の両方を受信し、前記通信手段の電源制御およびアンテナモジュールチューニング制御を同時に遂行するアンテナ制御部と、
を含むことを特徴とする請求項２に記載の通信環境により制御される携帯端末機。
【請求項４】
前記制御部は、
一定時間の間に持続される前記グリップセンサパターンを検出するためのタイマーをさらに含むことを特徴とする請求項３に記載の通信環境により制御される携帯端末機。
【請求項５】
前記アンテナ制御部は、
前記電源制御情報により前記通信手段に供給される供給電源の大きさを低減するか、低減された供給電源を増加させるアンテナ電力調節部と、
前記アンテナモジュールチューニング制御情報により前記通信手段のアンテナ部の周波数チューニング値を補償するように制御するアンテナ帯域調節部と、
を含むことを特徴とする請求項３に記載の通信環境により制御される携帯端末機。
【請求項６】
前記通信手段は、
送受信される信号の増幅を行う通信部と、
前記送受信される信号の放射と受信を行うアンテナ部と、
前記アンテナ部に連結される少なくとも１つの回路素子を含んで、アンテナ部の固有周波数特性を補償するアンテナ制御モジュールと、
を含むことを特徴とする請求項１に記載の通信環境により制御される携帯端末機。
【請求項７】
前記グリップセンサ部は、
前記携帯端末機のケースの上下左右の側面部のうち少なくとも二ヶ所に配置される複数のグリップセンサを含むことを特徴とする請求項１に記載の通信環境により制御される携帯端末機。
【請求項８】
前記制御部は、
前記グリップセンサ部から受信されるグリップセンサパターンにより携帯端末機の両手把持、片手把持、一方の側面部の片手把持のうちいずれか１つを決定し、該当決定により通信手段の電源制御および通信手段のアンテナモジュールチューニング制御を同時に遂行することを特徴とする請求項７に記載の通信環境により制御される携帯端末機。
【請求項９】
前記制御部は、
前記携帯端末機の両側面部に接触する指把持のパターンにより通信手段の音声通話機能運用を決定し、通信手段に供給される電源を低減するように制御し、把持によるアンテナ放射性能の補償のためのアンテナモジュールチューニングを行うように制御することを特徴とする請求項８に記載の通信環境により制御される携帯端末機。
【請求項１０】
前記グリップセンサ部は、
前記携帯端末機のケースの背面部に配置される少なくとも１つのグリップセンサをさらに含むことを特徴とする請求項７に記載の通信環境により制御される携帯端末機。
【請求項１１】
前記制御部は、
前記携帯端末機の両側面部に接触する指把持のパターンおよび前記背面部に接触する手の平の接触パターンによって通信手段の画像通話機能運用を決定し、把持によるアンテナ放射性能の補償のためのアンテナモジュールチューニングを行うように制御することを特徴とする請求項１０に記載の通信環境により制御される携帯端末機。
【請求項１２】
携帯端末機の把持によるセンサ信号を生成する過程と、
前記生成されたセンサ信号からグリップセンサパターンを検出する過程と、
前記検出されたグリップセンサパターンに対応する通信手段のアンテナチューニング情報および電源制御情報を確認する過程と、
前記アンテナチューニング情報および前記電源制御情報に対応して通信手段への供給電源を低減または増加する電源制御および通信手段のアンテナモジュールチューニング制御を同時に遂行する遂行過程と、
を含むことで、携帯端末機の製品別にＳＡＲ国際規格に適合するように制御することを特徴とする通信環境による端末機の制御方法。
【請求項１３】
前記通信手段のアンテナチューニング情報および電源制御情報を確認する過程は、
少なくとも１つの参照グリップセンサパターンと、前記参照グリップセンサパターンにそれぞれ対応する電源制御情報およびアンテナモジュールチューニング制御情報の両方を有する制御テーブルと、を格納部から呼出しする過程と、
前記制御テーブルに含まれた参照グリップセンサパターンの全体のなかで前記グリップセンサパターンに対して最も高いマッチング率を有する参照グリップセンサパターンを検出する過程と、
前記検出された参照グリップセンサパターンに対応する電源制御情報およびアンテナモジュールチューニング制御情報の両方を確認する過程と、
を含むことを特徴とする請求項１２に記載の通信環境による端末機の制御方法。
【請求項１４】
前記グリップセンサパターンを検出する過程は、
タイマーを動作させる過程と、
前記タイマーが完了するまでの期間の間に前記グリップセンサパターンが維持される場合、前記グリップセンサパターンを有効パターンとして決定する過程と、
を含むことを特徴とする請求項１２に記載の通信環境による端末機の制御方法。
【請求項１５】
前記遂行過程は、
前記電源制御の情報により前記通信手段に供給される供給電源の大きさを低減するか、低減された供給電源を増加させる過程と、
前記アンテナモジュールチューニング制御情報により前記通信手段のアンテナ部の周波数チューニング値を補償するように制御する過程と、
を含むことを特徴とする請求項１３に記載の通信環境による端末機の制御方法。
【請求項１６】
前記遂行過程は、
前記携帯端末機の両側面部に接触する指把持のパターンにより通信手段の音声通話機能運用を決定する過程と、
前記決定により通信手段に供給される電源を低減するように制御し、把持によるアンテナ放射性能の補償のためのアンテナモジュールチューニングを行うように制御する過程と、
を含むことを特徴とする請求項１２に記載の通信環境による端末機の制御方法。
【請求項１７】
前記遂行過程は、
前記携帯端末機の両側面部に接触する指把持のパターンおよび背面部に接触する手の平の接触パターンのうち少なくとも１つにより、現状を通信手段の画像通話機能運用、メッセージ作成機能運用、ウェブ接続機能運用のうちいずれか１つに決定する過程と、
前記決定により把持によるアンテナ部の電源供給を維持し、アンテナ放射性能の補償のためのアンテナモジュールチューニングを行うように制御する過程と、
を含むことを特徴とする請求項１２に記載の通信環境による端末機の制御方法。
【請求項１８】
ユーザの把持によるアンテナ放射特性を収集する検出部と、
前記検出部が検出した放射特性パターンを事前定義された多数のパターンと比較し、前記ユーザの把持形態に対応するアンテナチューニング情報および電源制御情報を確認して、前記アンテナチューニング情報および前記電源制御情報に対応して前記放射特性パターンに対応するパターンに定義された通信手段への供給電源を低減または増加する電源制御および通信手段のアンテナモジュールチューニング制御を同時に遂行することにより、携帯端末機の製品別にＳＡＲ国際規格に適合するように制御する制御部と、
前記制御部の制御により、電源制御およびアンテナモジュールチューニングが行われる通信手段と、
前記事前定義された多数のパターン、および多数のパターンに定義された通信手段の送信出力制御値、および通信手段のアンテナモジュールチューニング値を格納する格納部と、
を含むことを特徴とする通信環境により制御される携帯端末機。
【発明の詳細な説明】
【技術分野】
【０００１】
本発明は、携帯端末機の通信環境による機器制御に関し、特に、携帯端末機の利用環境によりＳＡＲを低減しながらも、適切な通信性能を保障することができるように支援する通信環境による端末機の制御方法およびこれを支援する携帯端末機に関する。
【背景技術】
【０００２】
近年、携帯端末機は、携帯性を維持しながらも多様なユーザ機能、例えば、移動通信機能、ゲーム機能、スケジューリング機能などを提供することができるので、多くのユーザを確保している。ところが、このような携帯端末機は、携帯性を基本的に提供しなければならないので、その形態が小型化されなければならず、ユーザの多様なニーズを満たすために、多様な形態のデザインを消化しなければならない。また、最近の携帯端末機は、非常に多様な機能を提供しなければならないので、複数の部品が配置されなければならない。これにより、従来の携帯端末機は、制限された空間を最大限活用するための設計が必要である。
【０００３】
特に、携帯端末機においてアンテナは、適切な移動通信性能を保障しなければならないので、その大きさを縮小させるのに限界があり、また、設計配置上適切な接地構造を有しなければならない。また、従来の携帯端末機は、通信機能を支援する際、ＳＡＲ（Ｓｐｅｃｉｆｉｃ  Ａｂｓｏｒｐｔｉｏｎ  Ｒａｔｅ）国際規格を遵守しなければならないという条件のため、送信電力を高めて通信性能の保障を達成するのに限界があった。ＳＡＲとは、人の生体組織に吸収される生体の単位質量当たり電磁波の量をエネルギーで表示したもので、移動電話端末機から放出される電磁波を人体がどのくらい吸収するかを示す数値である。端末機の電磁波の人体保護基準は、生体実験によって人体に有害でない電磁波の量を基準としている。例えば、韓国、米国、オーストラリア、カナダは、１．６Ｗ／ｋｇ［１ｇ平均］、日本、ヨーロッパは２．０Ｗ／ｋｇ［１０ｇ平均］を基準としている。これにより、ＳＡＲ規格を遵守しながら適切な通信性能を保障することができる新しい技術の提案が要求されている。
【発明の概要】
【発明が解決しようとする課題】
【０００４】
したがって、本発明の目的は、携帯端末機の把持環境によりＳＡＲ低減のための電力制御を行うことができるように支援する通信環境による端末機の制御方法およびこれを支援する携帯端末機を提供することにある。
【０００５】
また、本発明の目的は、ユーザの端末機の把持状態によりＳＡＲ低減を達成しながら、適切な通信性能を保障することができるように支援する通信環境による端末機の制御方法およびこれを支援する携帯端末機を提供することにある。
【課題を解決するための手段】
【０００６】
上述したような目的を達成するための本発明の通信環境による端末機の制御方法は、携帯端末機の把持によるセンサ信号を生成する過程と、前記生成されたセンサ信号からグリップセンサパターンを検出する過程と、前記検出されたグリップセンサパターンに対応する通信手段の制御情報を検出する過程と、前記通信手段に供給される電源制御および通信手段のアンテナモジュールチューニング制御のうち少なくとも１つを行う遂行過程と、を含むことを特徴とする。
【０００７】
また、本発明の通信環境により制御される携帯端末機は、ユーザの把持によるセンサ信号を生成するグリップセンサ部と、前記グリップセンサ部から供給されるセンサ信号に基づいてグリップセンサパターンを検出し、検出されたグリップセンサパターンに対応する通信手段の制御情報を検出して、通信手段に供給される電源制御および通信手段のアンテナモジュールチューニング制御のうち少なくとも１つを行う制御部と、前記制御部の制御よって電源制御およびアンテナモジュールチューニングが行われる通信手段と、を含むことを特徴とする。
【発明の効果】
【０００８】
本発明の実施形態に係る通信環境による端末機の制御方法およびこれを支援する携帯端末機によれば、本発明は、端末機の把持状態によりＳＡＲ低減のための制御を行って、ユーザにさらに安全な端末機の利用を支援し、アンテナチューニングにより適切な通信性能を確保することができるように支援する。
【図面の簡単な説明】
【０００９】
【図１】本発明の実施形態に係る携帯端末機の外観を概略的に示す図である。
【図２】本発明の実施形態に係る携帯端末機の構成をより詳細に示す図である。
【図３】本発明の実施形態に係る携帯端末機の制御部の構成をより詳細に示す図である。
【図４】本発明の実施形態に係る通信環境による端末機の制御方法を説明するためのフローチャートである。
【図５】本発明の実施形態に係る携帯端末機のアンテナ関連構成を示す図である。
【発明を実施するための形態】
【００１０】
以下、添付する図面を参照して、本発明に係る好ましい実施形態について詳細に説明する。下記の説明では、本発明の実施形態に係る動作を理解するのに必要な部分だけが説明され、それ以外の部分の説明は、本発明の要旨を不明瞭にしないように省略されることに留意すべきである。
【００１１】
以下にて説明する本明細書および請求範囲に使用された用語や単語は、通常的または辞典的な意味として限定して解釈されてはならず、発明者は自身の発明を最善の方法により説明するために、用語の概念として適切に定義できるという原則に立って、本発明の技術的思想に符合する意味および概念として解釈されなければならない。したがって、本明細書に記載された実施形態と図面に示された構成は、本発明の最も好ましい実施形態に過ぎないだけで、本発明の技術的思想を全部代弁するものではないので、本出願時点においてこれらを代替することができる多様な均等物と変形例があり得ることを理解しなければならない。
【００１２】
図１は、本発明の実施形態に係る携帯端末機の外観を示す図であり、図２は、本発明の実施形態に係る携帯端末機の構成をより詳細に示すブロック図である。
【００１３】
図１および図２を参照すれば、本発明の携帯端末機１００は、通信部１１０、入力部１２０、オーディオ処理部１３０、表示部１４０、格納部１５０、制御部１６０、グリップセンサ部１７０、およびアンテナモジュール２００の構成を含む。ここで、通信部１１０とアンテナモジュール２００は、携帯端末機１００の通信機能を支援する構成であって、携帯端末機１００の通信手段として運用される。
【００１４】
このような構成を有する本発明の携帯端末機１００は、グリップセンサ部１７０から収集されるセンサ信号のグリップセンサパターンによって、アンテナモジュール２００に供給された電源の大きさを調節するように制御する。すなわち、携帯端末機１００は、アンテナモジュール２００の送信出力の大きさを調節するように制御する。これにより、本発明の携帯端末機１００は、ユーザの携帯端末機１００の利用環境により、ＳＡＲを低減するための電源の減少を適応的に行うことができる。また、本発明の携帯端末機１００は、グリップセンサパターンによってアンテナモジュール２００のチューニング、すなわち、周波数帯域の調整を行って、同一のアンテナモジュール２００に基づいて、より適切なアンテナ通信性能を提供できるように支援することができる。ここで、本発明の携帯端末機１００は、ＳＡＲ低減のための電源低減とともに、アンテナモジュール２００の周波数特性調整を同時に行うように支援してもよい。以下、本発明の実施形態に係るＳＡＲ低減およびアンテナモジュール２００の性能改善を支援する携帯端末機１００の各構成の機能および役割について、さらに詳細に説明する。
【００１５】
前記通信部１１０は、前記制御部１６０の制御により通話機能に必要な音声信号と、データ通信に必要なデータ信号との送信および受信を支援する。このような信号送受信のために、前記通信部１１０は、送信される信号の周波数を上昇変換および増幅する無線周波数送信部と、受信される信号を低雑音増幅して周波数を下降変換する無線周波数受信部などを含んでもよい。特に、本発明の通信部１１０は、グリップセンサ部１７０から収集されるグリップセンサパターンによって、供給される電源の大きさが変わる。例えば、グリップセンサ部１７０から受信されたグリップセンサパターンが、通信部１１０の通話機能運用のためのパターンである場合、前記通信部１１０の送信出力の大きさの減少および前記通信部１１０に供給される電源の大きさの減少が行われる。このような電源の減少は、前記通信部１１０を介してアンテナモジュール２００に伝えられる信号伝達によって発生するＳＡＲ低減のために行われる。一方、グリップセンサパターンにより電源の減少が行われた状態で、通信機能が行われている途中グリップセンサパターンが変更された場合、減少した電源が再び増加される。実質的に、携帯端末機１００のユーザは、端末機の利用時に、特に通話機能の利用時に端末機の側面部を片手で把持したまま、顔の側面に位置した耳に近く配置するようになる。これにより、前記携帯端末機１００は、グリップセンサパターンが片手で把持した特定状態に該当するパターンである場合、ＳＡＲ低減のために通信部１１０が送信する送信出力および通信部１１０に供給される電源の大きさを減少させるように制御する。また、通信機能の解除により端末機の側面部の把持が解除されるか又は把持形態が変更された場合、通信部１１０が送信する送信出力および通信部１１０に供給される電源の大きさを初期値に調整したり、一定の部分増加させるように制御する。一方、ユーザは、携帯端末機１００の通信機能の利用時にメッセージ作成機能を用いる場合、端末機の把持形態を変更するようになり、これにより、特定のグリップセンサパターンを再形成する。したがって、携帯端末機１００は、グリップセンサパターンが既に設定された特定パターンに変更された場合、電源の大きさを変更するように制御し、ＳＡＲを適切に低減するための供給電源制御を行うことができる。
【００１６】
前記入力部１２０は、前記携帯端末機１００の制御に必要である多様な入力信号を生成するように支援する構成である。このような入力部１２０は、数字または文字情報の入力を受けて、各種機能を設定するための複数の入力キーおよびファンクションキーを含む。前記ファンクションキーは、特定機能を行うように設定された方向キー、サイドキーおよびショートカットキーなどを含んでもよい。前記入力部１２０は、前記携帯端末機１００がフルタッチタイプで提供される場合、サイドキー等のみで形成され、数字や文字入力のための機能はキーマップで構成され、表示部１４０上に出力されて構成される。このような入力部１２０は、本発明の実施形態に係るグリップセンサパターンの設定を制御する入力信号をユーザの制御によって生成することができる。特に、入力部１２０は、右利きの場合のグリップセンサパターンと、左利きの場合のグリップセンサパターンとを、ユーザの要請によって調整する入力信号を生成することができる。右利きの携帯端末機１００の把持と、左利きの携帯端末機１００の把持とは、端末機の利用環境、例えば、音声通話機能、画像通話機能、データ送信機能などによってそれぞれ異なる。これにより、本発明の携帯端末機１００は、音声通話機能の運用によるグリップセンサパターン、画像通話機能によるグリップセンサパターン、データ送信機能によるグリップセンサパターンを設定できるユーザインターフェースを提供し、該当ユーザインターフェースをベースとして入力される入力信号によってパターン設定を制御することができる。
【００１７】
前記オーディオ処理部１３０は、前記通話時に送受信されるオーディオデータを再生するためのスピーカ（ＳＰＫ）と、通話時にユーザの音声またはその他のオーディオ信号を収集するためのマイク（ＭＩＣ）とを含む。特に、本発明のオーディオ処理部１３０は、ＳＡＲ低減を案内するために通話機能の運用によるグリップセンサパターンが収集されれば、電源の低減に関する案内メッセージまたは電源の低減を知らせる効果音を出力する。また、前記オーディオ処理部１３０は、電源が低減された状態で、グリップセンサパターンの変更によって電源の供給状態または送信出力状態が本来の状態に復元される場合、それに対する効果音または案内メッセージの出力を支援することができる。このような案内メッセージまたは効果音の出力は、ユーザ設定または端末機支援の有無により省略されてもよい。
【００１８】
前記表示部１４０は、携帯端末機の機能によって起動される画面を出力し、制御部１６０の制御によって起動されてタッチイベントを収集する機能を支援する。このような表示部１４０は、ブート画面、待機画面、メニュー画面、通話画面などを出力する。上述した表示部１４０は、ＯＬＥＤ、ＬＣＤ（Ｌｉｑｕｉｄ  Ｃｒｙｓｔａｌ  Ｄｉｓｐｌａｙ）等の薄膜トランジスタベースの平板表示技術が適用され、ＬＣＤが適用される場合、表示部１４０は、ＬＣＤ制御部、データを格納することができるメモリ、およびＬＣＤ表示素子などを備える。特に、本発明の表示部１４０は、グリップセンサパターンを設定するためのユーザインターフェースを出力する。また、本発明の表示部１４０は、グリップセンサパターンの設定により、把持された状態に対応する情報を出力する。例えば、表示部１４０は、左手で携帯端末機１００を把持した場合、または、右手で携帯端末機１００を把持した場合、グリップセンサ部１７０によって収集されるセンサ信号パターンの形態に関する情報を出力する。または、表示部１４０は、両手で携帯端末機１００を把持した場合、グリップセンサ部１７０によって収集されるパターンの形態に関する情報を出力する。また、本発明の表示部１４０は、上述したグリップセンサパターンから構成された制御テーブル１５１をユーザの要請により出力する。ユーザは、制御テーブル１５１を確認することにより、どのグリップセンサパターンによってＳＡＲ低減のための電源低減が発生するかを確認することができる。さらに、本発明の携帯端末機１００は、アンテナモジュール２００のチューニング値をグリップセンサパターンによって設定することができ、このような設定値は、前記制御テーブル１５１に共に格納される。したがって、前記表示部１４０は、前記アンテナモジュール２００のチューニング値およびＳＡＲ低減のための電源低減環境に関する情報と、グリップセンサパターン間の関係に関する情報とを含む制御テーブル１５１の出力を支援することができる。
【００１９】
前記格納部１５０は、本発明の実施形態に係る機能動作に必要なアプリケーションをはじめとして、タッチ運用のためのアプリケーション、グリップセンサ部１７０の運用のためのアプリケーションなどを格納する。このような前記格納部１５０は、大きくプログラム領域とデータ領域を含んでもよい。
【００２０】
前記プログラム領域は、携帯端末機１００を起動させるオペレーティングシステム（ＯＳ、Ｏｐｅｒａｔｉｎｇ  Ｓｙｓｔｅｍ）、グリップセンサ部の運用のためのアプリケーション、携帯端末機１００のその他オプション（ｏｐｔｉｏｎｓ）機能、例えば、音声再生機能、イメージまたは動画の再生機能などに必要なアプリケーションなどを格納する。特に、本発明のプログラム領域は、通信環境制御プログラムを格納する。前記通信環境制御プログラムは、携帯端末機１００が起動されれば、制御部１６０にロードされてグリップセンサ部１７０から収集されるセンサ信号を統合し、どのパターンを有するかを判断するルーチンと、格納部１５０に格納された制御テーブル１５１を確認し、該当パターンに対応する電源の減少値およびアンテナモジュール２００のチューニング値を確認するルーチンと、確認された値により通信部１１０およびアンテナモジュール２００に供給される電源またはアンテナモジュール２００の送信出力を減少させるルーチンと、アンテナモジュール２００をチューニングするルーチンと、を含んでもよい。
【００２１】
前記データ領域は、携帯端末機１００の使用により発生するデータが格納される領域であって、前記携帯端末機１００が提供する多様なオプション機能と関連するユーザデータ、例えば、動画、フォンブックデータ、オーディオデータ、該当コンテンツ、またはユーザデータに対応する情報などを格納することができる。特に、本発明のデータ領域は、通信環境によるＳＡＲ低減およびアンテナモジュール２００の性能改善のために、制御テーブル１５１を格納することができる。制御テーブル１５１は、参照グリップセンサパターン情報および各参照グリップセンサパターン情報によってＳＡＲを低減するために、通信部１１０およびアンテナモジュール２００のうち少なくとも１つに供給される電源制御情報、各参照グリップセンサパターン情報、および電源減少情報のうち少なくとも１つにより、アンテナモジュール２００の性能を改善するためのアンテナモジュール２００のチューニング情報を格納することができる。このような制御テーブル１５１は、通信環境制御プログラムの制御部１６０のロードにより呼出され、電源供給およびアンテナモジュール２００のチューニング制御に用いられる。ここで、前記参照グリップセンサパターン情報の場合、ユーザインターフェースを介して調整または変更され得る。参照グリップセンサパターン情報の調整によるユーザインターフェースは、例えば、「右手把持」、「左手把持」、「両手把持」等を指示する案内メッセージを出力し、ユーザは、該当案内メッセージによって指定された時間の間に該当端末機を把持することにより、参照グリップセンサパターン情報を生成、調整、または変更することができる。また、ユーザは、主に使用する手、すなわち、右利きまたは左利きの設定を調整することができる。
【００２２】
前記グリップセンサ部１７０は、携帯端末機１００のケースの一側に少なくとも１つのグリップセンサが配置され、ユーザの端末機把持によるセンサ信号を生成し、生成されたセンサ信号を制御部１６０に伝達する。このようなグリップセンサ部１７０は、例えば、図１に示すように、携帯端末機１００の下端の左右側面にそれぞれ複数のセンサが設けられ、ユーザが端末機を把持する間、接触する指などの接触形態によるセンサ信号を生成して制御部１６０に伝達する。一方、前記グリップセンサ部１７０は、携帯端末機１００の側面だけでなく、表示部１４０を基準として携帯端末機１００の背面にも少なくとも１つが配置される。また、少なくとも１つのセンサは、携帯端末機１００の正面のうち少なくとも一側に配置される。このように配置されたグリップセンサ部１７０は、ユーザの把持形態によりそれぞれ異なるセンサ信号を生成して制御部１６０に伝達することにより、ユーザがどの形態で端末機を把持するかを判断することができる検出信号を提供する。
【００２３】
前記アンテナモジュール２００は、通信部１１０と連結されて通信部１１０から送出される信号を空中（ａｉｒ）に放射するか、空中から受信される信号を通信部１１０に伝達するアンテナ部２１０と、アンテナ部２１０のチューニングを制御するアンテナ制御モジュール２２０とを含んでもよい。ここで、アンテナ部２１０は、ＰタイプまたはＦタイプのパターン形態のアンテナで製作され、携帯端末機１００のケースの内側に載置される。アンテナ制御モジュール２２０は、アンテナ部２１０に連結されてアンテナ部２１０が有する周波数帯域をチューニングするために、多様な回路素子を含む構成であってもよい。特に、アンテナ制御モジュール２２０は、アンテナ部２１０に接続される少なくとも１つの可変抵抗、可変インダクター、および可変キャパシタを含んでもよい。また、アンテナ制御モジュール２２０は、制御部１６０から伝えられるアンテナチューニング情報により該当回路素子の可変特性を調整して、アンテナ部２１０が有する周波数帯域を調整するように制御する。これにより、本発明のアンテナモジュール２００は、チューニングが可能なアンテナ特性を支援する。特に、本発明のアンテナモジュール２００は、グリップセンサパターンによるアンテナチューニング情報によって周波数特性をチューニングするように制御することにより、ユーザの把持によって影響を受けるアンテナ性能の低下を改善することができる。一方、前記アンテナ部２１０は、供給される電源がグリップセンサパターンによって低減され、電源の供給を受けることができる。このとき、前記アンテナ部２１０は、アンテナパターンと、アンテナパターンと連結された増幅器とを含んでもよく、前記電源供給の低減は、増幅器に供給される電源から発生する。一方、前記アンテナ部２１０がアンテナパターンのみを含む構成として製作され、通信部１１０がアンテナパターンと連結された増幅器およびモジュレータとフィルタを含む構成として製作される場合、前記電源の低減は、前記通信部１１０に供給される電源から発生され得る。したがって、本発明のＳＡＲ低減のための電源の制御は、携帯端末機１００に設けられる通信手段の内部回路素子に供給される電源から発生することと理解できるだろう。
【００２４】
前記制御部１６０は、携帯端末機１００の電源供給および各装置の起動と、各装置の間に送受信される信号の流れを制御する。特に、本発明の制御部１６０は、通信環境によるＳＡＲ低減のための電源制御と、アンテナモジュール２００の性能改善を支援するチューニング制御に必要である多様な信号制御とを行う。ここで、制御部１６０とアンテナモジュール２００の間には、制御のためのデータを通信するためにＩ２Ｃインターフェースが設けられ、システム設計者の選択により他の通信インターフェースの代替も可能である。このような制御部１６０は、図３に示されたような構成を含んでもよい。
【００２５】
図３は、本発明の実施形態に係る携帯端末機１００の制御部１６０の構成をより詳細に示す図である。
【００２６】
前記図３を参照すれば、本発明の制御部１６０は、センサ信号収集部１６１、パターン確認部１６３、およびアンテナ制御部１６５を含み、アンテナ制御部１６５は、アンテナ帯域調節部１６４およびアンテナ電力調節部１６６を含む。
【００２７】
前記センサ信号収集部１６１は、携帯端末機１００の把持状態によりグリップセンサ部１７０から発生する多様なセンサ信号を収集する構成である。これのために、センサ信号収集部１６１は、グリップセンサ部１７０に含まれた少なくとも１つのセンサをモニタリングすることにより、どのセンサでどのセンサ信号が発生するかを確認する。これによって、センサ信号収集部１６１は、信号が発生したグリップセンサの位置情報と、該当センサから伝えられるセンサ信号値の大きさとをパターン確認部１６３に伝達する。例えば、グリップセンサ部１７０に含まれたセンサが、携帯端末機１００のケースの側面部に複数個配置される場合、前記センサ信号収集部１６１は、グリップセンサの位置により識別因子を割り当てて、各識別因子およびセンサ信号値をパターン確認部１６３に伝達する。
【００２８】
前記パターン確認部１６３は、センサ信号収集部１６１が伝達するセンサ信号値に基づいて、どの位置に配置されたグリップセンサからどの大きさのセンサ信号が発生するかを確認し、該当センサ信号を１つのパターンに統合する。このように統合されたグリップセンサパターンは、格納部１５０から呼出された制御テーブル１５１に予め格納されている参照グリップセンサパターンと比較して、最も類似値を有する参照グリップセンサパターンを検出するのに用いられる。このとき、パターン確認部１６３は、一定の誤差率を適用することができ、これにより、現在グリップセンサパターンに対して一定の誤差率以内にマッチングされる参照グリップセンサパターンを検出するようになる。または、パターン確認部１６３は、制御テーブル１５１に含まれた全体の参照グリップセンサパターンのうち、現在収集されたグリップセンサパターンと最も高いマッチング率を有する参照グリップセンサパターンを検出するように決定することもできる。参照グリップセンサパターンが検出されれば、パターン確認部１６３は、該当参照グリップセンサパターンに該当するアンテナチューニング情報および電源制御情報を確認する。また、アンテナチューニング情報および電源制御情報をアンテナ制御部１６５に伝達する。
【００２９】
一方、前記パターン確認部１６３は、グリップセンサ部１７０から受信されるセンサ信号に対してタイマーを適用して、グリップセンサパターンを検出してもよい。すなわち、携帯端末機１００のユーザは、携帯端末機１００を把持する場合、多様な形態で且つしばしば把持形態を変更するようになるため、グリップセンサパターンの検出時にリアルタイムで該当パターンの検出を行う場合、電力浪費および不要な演算が発生する。これにより、前記パターン確認部１６３は、グリップセンサ信号の発生時にタイマーを動作させ、一定時間の間に同一のグリップセンサパターンが発生する場合、該当グリップセンサパターンに対する参照グリップセンサパターンを検出し、参照グリップセンサパターンに対応する通信手段の制御情報をアンテナ制御部１６５に伝達するように制御する。これのために、前記制御部１６０は、グリップセンサパターンのためのタイマー構成をさらに含んでもよい。
【００３０】
前記アンテナ制御部１６５は、パターン確認部１６３からアンテナチューニング情報および電源制御情報の伝達を受けて、該当値に基づいて必要な構成の制御を行うことができる。これをさらに詳細に説明すれば、アンテナ制御部１６５は、パターン確認部１６３からアンテナチューニング情報を受信すれば、アンテナ帯域調節部１６４にこれを伝達する。そうすると、アンテナ帯域調節部１６４は、該当アンテナチューニング情報に対応する回路素子の調整値をアンテナ制御モジュール２２０に伝達して、アンテナ制御モジュール２２０に含まれた回路素子が調整値による素子値を有するように制御する。これにより、アンテナ帯域調節部１６４は、アンテナ部２１０が有する固有周波数特性がユーザの把持によって変更されることを補償できるように支援する。一方、アンテナ制御部１６５は、パターン確認部１６３から電源制御情報を受信すれば、これをアンテナ電力調節部１６６に伝達する。そうすると、アンテナ電力調節部１６６は、伝えられた電源制御情報によりアンテナ部２１０に供給されるまたは通信部１１０に供給される電源の大きさを減少させるか、減少された電源を増加させるように制御する。
【００３１】
上述したように本発明の実施形態に係る通信環境による端末機の制御を行う携帯端末機は、ユーザの端末機の把持形態によりＳＡＲ低減のための電源低減を制御するか、把持によるアンテナ部２１０の性能改善のための制御を行うように支援する。これによって、本発明の携帯端末機は、より安全な端末機の利用を支援するとともに、良好な通信性能を提供することができる。
【００３２】
以上では、本発明の実施形態に係る通信環境による端末機の制御を行う携帯端末機の各構成および構成の役割に対して説明した。以下では、本発明の通信環境による端末機の制御方法に対して図面を参照して、より詳細に説明する。
【００３３】
図４は、本発明の実施形態に係る通信環境による端末機の制御方法を説明するためのフローチャートを示す図である。
【００３４】
前記図４を参照すれば、本発明の端末機の制御方法は、まず、携帯端末機１００に電源が供給されれば、制御部１６０は、供給された電源に基づいて携帯端末機１００の各構成の初期化を行い、初期化が完了すれば、４０１ステップのように待機画面を表示部１４０に出力するように制御する。
【００３５】
次に、前記制御部１６０は、４０３ステップにおいて、グリップセンサ信号が受信されたか否かを確認する。これのために制御部１６０は、グリップセンサ部１７０に電源供給を制御し、グリップセンサ部１７０からグリップセンサ信号が発生するか否かをモニタリングする。一方、前記グリップセンサ受信ステップの以前のステップを待機画面表示ステップであると説明したが、本発明がこれに限定されるものではない。すなわち、前記グリップセンサ受信ステップの以前のステップは、他のユーザアプリケーション、例えば、オーディオファイル再生プログラム起動によるユーザ機能遂行ステップであってもよく、また、電源節約のためのスリップ（Ｓｌｅｅｐ）モードの切り替え状態であってもよい。
【００３６】
前記４０３ステップで別のグリップセンサ信号の受信が発生しない場合、前記携帯端末機１００の制御部１６０は、４０５ステップに分岐してデフォルト設定によるアンテナモジュール２００の制御を行い、該当ユーザ機能の遂行を支援することができる。例えば、制御部１６０は、通信部１１０とアンテナモジュール２００を含む通信手段に供給される電源および通信手段の送信出力に対して、別の電源低減やアンテナ部２１０のチューニングを行わないように制御することができる。また、制御部１６０は、入力部１２０またはタッチスクリーン機能の表示部１４０から入力される入力信号により、ユーザ機能、例えば、ファイル再生機能などを行うように支援することができる。
【００３７】
一方、前記４０３ステップでグリップセンサ信号がグリップセンサ部１７０から発生する場合、前記制御部１６０は、４０７ステップに分岐してグリップセンサ信号のパターンを確認することができる。これのために、前記グリップセンサ部１７０は、携帯端末機１００のケースの一側に複数のグリップセンサが配置された形態で構成されてもよく、ユーザの把持形態に対するパターン検出が可能なセンサタイプで形成されてもよい。例えば、前記グリップセンサ部１７０は、複数のグリップセンサが携帯端末機１００の左右の側面部、上下の側面部、表示部１４０を基準として背面部のうち少なくとも１ヶ所に配置されてもよく、場合によっては、表示部１４０が配置される前面の縁部の領域に配置されてもよい。このようなグリップセンサの配置位置と配置面積は、設計者の意図によって調整される。前記制御部１６０は、上述したグリップセンサから受信されるセンサ情報に対して、センサ情報の位置値とセンサ値の大きさのうち少なくとも１つを用いて、現在受信されるグリップセンサ信号に対するグリップセンサパターンを検出する。また、制御部１６０は、格納部１５０に格納された制御テーブル１５１を呼出することで、現在グリップセンサパターンに対応する参照グリップセンサパターンを検出するように制御することができる。このとき、制御部１６０は、一定の誤差率以内のマッチング率を有する参照グリップセンサパターンを検出するか、参照グリップセンサパターンのうち現在グリップセンサパターンと最も高いマッチング率を有する参照グリップセンサパターンを検出する。一方、前記制御部１６０は、前記グリップセンサパターンを検出する過程でタイマーを動作させ、前記タイマー完了期間の間に前記グリップセンサパターンが維持される場合、前記グリップセンサパターンを有効パターンとして決定する。タイマー完了期間の前にグリップセンサパターンが変更される場合、現在のグリップセンサパターン、すなわち、以前のグリップセンサパターンは無効なものと判断し、新しいグリップセンサパターンに対するタイマー動作、すなわち、タイマーリセットの後に再び起動を制御することができる。これにより、本発明の携帯端末機１００は、把持動作の変化によって無差別に演算される参照グリップセンサパターンの演算を防止することにより、不要な電力消耗を防止することがで
きる。
【００３８】
次に、制御部１６０は、４０９ステップに分岐して検出された参照グリップセンサパターンに対応するアンテナ調節値、すなわち、電源低減情報およびアンテナモジュール２００のチューニング情報のうち少なくとも１つを制御テーブル１５１から検出する。また、制御部１６０は、４１１ステップに分岐してアンテナ調節値による放射性能およびＳＡＲ低減を制御する。すなわち、制御部１６０は、放射性能の改善のためにアンテナモジュール２００をチューニングするように制御することができ、ＳＡＲ低減のために通信手段に供給される電源および送信出力のうち少なくとも１つを一定のサイズだけ低減するように制御することができる。このとき、低減された電源の大きさは、実質的に携帯端末機１００の大きさや該当端末機に適用される通信チップの形態により変わり得るので、実験的に該当値が決定されるようになる。アンテナモジュール２００のチューニング情報も、ユーザの把持形態により変わり得るので、このような部分もやはり携帯端末機１００の大きさや形態などのモデルによって変わり、結果的に特定モデルに対して実験的に導き出されることが好ましい。
【００３９】
次に、前記制御部１６０は、４１３ステップに分岐してセンサ信号の受信が終了したか否かを確認する。このとき、センサ信号の受信が持続される場合、４０７ステップの以前のステップに分岐して、以下の過程を維持するか又は再遂行しながら、最適のアンテナ性能の支援およびＳＡＲ低減を達成できるように支援する。一方、４１３ステップでセンサ信号の受信が終了する場合、制御部１６０は、４０１ステップの以前のステップに分岐して、以下の過程を繰り返して行うように制御する。
【００４０】
上述したように本発明の実施形態に係る通信環境による端末機の制御は、多様な携帯端末機１００の把持状態によって行われることにより、さらに適切な端末機の運用を支援することができる。例えば、ユーザは、携帯端末機１００の使用において通信機能運用のための把持と、通信機能を除いたユーザ機能運用のための把持とを行うようになる。これをより詳細に説明すれば、携帯端末機１００のユーザは、メッセージ作成および送信のために両手で携帯端末機１００の左右の側面部を把持するか、片手で一方の側面部のみを把持する。このとき、グリップセンサ部１７０が、携帯端末機１００の左右の側面部および背面部にそれぞれグリップセンサが配置された形態で構成されれば、制御部１６０は、両手把持によるグリップセンサパターン、または、一方の側面部のみが把持された形態のグリップセンサパターンを検出する。そうすると、制御部１６０は、該当グリップセンサパターンが発生するメッセージの作成であると判断し、別のＳＡＲ低減のための電源低減を行わないように制御する。一方、携帯端末機１００の設計者は、メッセージを送信するために、前記グリップセンサパターンによって発生するアンテナ放射性能の低下を実験的に確認し、該当放射性能の低下を補強したアンテナモジュール２００のチューニング情報を生成する。例えば、携帯端末機１００の設計者は、両手把持による通信周波数の特性変化が発生する場合、変化しただけ補償できるアンテナモジュール２００のチューニング情報を生成して、制御テーブル１５１を構成するように制御してもよい。そうすると、前記携帯端末機１００は、メッセージ送信による把持環境でも正常的なメッセージ送信を行うことができる。
【００４１】
これと類似する形態として、携帯端末機１００に基づきウェブ接続を行ってインターネット検索を行う場合、ユーザは、携帯端末機１００の大きさやモデルにより携帯端末機１００の側面部を両手で把持するか、一方の側面部のみを把持する。または、携帯端末機１００が表示部１４０の横モードおよび縦モードの切り替えを支援する場合、特定の側面部を両手で把持するか、特定の側面部のみを片手で把持する。このとき、選択的に背面部の少なくとも一部がユーザの把持によってユーザの手と接触することもある。そうすると、制御部１６０は、メッセージ作成の場合と類似するように両手把持による放射性能の改善のみを行うためのアンテナモジュール２００のチューニングを行い、別のＳＡＲ低減のための電源低減を行わないように制御する。ウェブ接続機能およびメッセージ作成の場合、携帯端末機１００がユーザから一定の距離だけ離隔された距離を有するので、前記制御部１６０はＳＡＲ低減を行わず、より良好な通信性能支援のために正常的な電源供給を行うように制御する。
【００４２】
一方、通話機能のうち音声通話機能を運用する場合、携帯端末機１００がユーザの特定部位、例えば、顔と隣接する領域に配置されるので、ＳＡＲを低減するための供給電源の低減および送信出力の低減のうち少なくとも１つが必要となる。したがって、制御部１６０は、グリップセンサ部１７０から受信されるグリップセンサパターンが、音声通話機能の運用に該当するパターンとして検出される場合、ＳＡＲを低減するための供給電源の低減および送信出力の低減のうち少なくとも１つを制御する。ユーザは、音声通話機能の運用のために片手で携帯端末機１００の側面部を囲むようになるが、特に、ユーザは指を用いて一部の指は第１の側面部を、残り指は第２の側面部を把持するようになる。これにより、制御部１６０は、側面部に設けられる複数のグリップセンサから受信されるセンサ信号パターンにより、音声通話を運用するための把持を決定する。音声通話の運用が決定されれば、制御部１６０は、供給電源の低減および送信出力の低減のうち少なくとも１つとともに、片手把持による放射性能の改善のためのアンテナモジュール２００のチューニングを行うことができる。
【００４３】
通話機能運用のうち画像通話の場合、音声通話とは異なり、両手で携帯端末機１００を把持するか又は片手で携帯端末機１００を把持しても、手の平面が携帯端末機１００の背面部に接触するように把持する。したがって、制御部１６０は、両手把持の場合には、上述したようにメッセージ作成またはウェブ接続機能と同一の通信手段の制御を行うように制御し、片手把持の場合には、手の平面が接触するか否かによって通信手段の制御を行うように制御する。
【００４４】
一方、上述した説明では、４つのグリップセンサの配置および特定グリップセンサの把持により、アンテナモジュールチューニング及び送信出力低減のうち少なくとも１つを行うことと説明するが、本発明がこれに限定されるものではない。すなわち、前記携帯端末機１００は、より多くの個数のグリップセンサを配置するか、または、多数のグリップセンサから収集されるグリップセンシングの多様な形態をさらに多くの把持パターン、例えば、数十個の把持パターンとして事前定義することができる。これにより、携帯端末機１００は、ユーザの把持により、センサ部が収集するセンサ信号パターンを事前定義された多様なパターンと比較した後、該当パターンに定義されたアンテナモジュールチューニング及び電力低減のうち少なくとも１つを支援することができる。これのために、グリップセンシングによる多様な把持パターンにそれぞれ対応するアンテナモジュールチューニング値、電力低減値、アンテナモジュールチューニングと電力低減の同時遂行値が各端末機の製造特定と周波数特性により、実験的に取得されて端末機に提供される。
【００４５】
図５は、本発明の実施形態に係るアンテナ関連構造のみをより詳細に示す図である。
【００４６】
図５を参照すれば、本発明の携帯端末機１００は、アンテナ部２１０、ＴＭＮ２２０、デュプレクサ１１１、ＬＮＡ１１２、ＰＡ１１３、ＶＳＷＲ（Ｖｏｌｔａｇｅ  Ｓｔａｎｄｉｎｇ  Ｗａｖｅ  Ｒａｔｉｏ）検出部２０１及び制御部１６０を含む。ここで、ＴＭＮ２２０は、上述したアンテナ制御モジュール２２０に該当する。また、デュプレクサ１１１とＬＮＡ１１２及びＰＡ１１３などは、上述した構成のうち通信部１１０の構成に該当する。
【００４７】
このような構成の本発明の携帯端末機１００は、アンテナ部２１０に流れる信号をＶＳＷＲ検出部２０１が検出して制御部１６０に伝達すれば、制御部１６０は、ＶＳＷＲ検出部２０１が伝達した信号により、ＴＭＮ２２０を制御することができる。このＴＭＮ２２０は、アンテナ部２１０の周波数チューニングを支援する構成であって、制御部１６０の制御によりアンテナ部２１０の特性を調整することができる。デュプレクサ１１１は、信号送受信過程で信号のスイッチングを支援する構成であり、ＬＮＡ１１２は、低雑音増幅を行う構成であり、ＰＡ１１３は、パワー増幅を行う構成である。
【００４８】
上述したように本発明の携帯端末機１００は、ＶＳＷＲ検出部２０１が検出した検出結果に応じて制御部１６０により、アンテナ部２１０の特性を制御してＳＡＲを低減できるように支援する。特に、本発明の制御部１６０は、携帯端末機１００を把持する把持形態により、多様なアンテナチューニングをＴＭＮ２２０の制御を通じて行うことにより、最適のＳＡＲ低減を支援することができる。また、本発明の制御部１６０は、携帯端末機１００の把持形態により電力制御タイプを制御することにより、電力低減を最適化しながらＳＡＲ低減を達成できるように支援する。この過程でＶＳＷＲ検出部２０１は、ユーザが携帯端末機１００を把持した形態により、アンテナ放射特性を変化したことを制御部１６０に伝達する。制御部１６０は、ユーザが携帯端末機１００を把持する状態によるアンテナ放射特性変化を多様なパターンに事前定義し、ＶＳＷＲ検出部２０１が伝達する現在のアンテナ放射特性と比較するように支援する。これのために、前記携帯端末機１００は、前記事前定義された多数のパターン、及び多数のパターンに定義された通信手段の送信出力制御値、及び通信手段のアンテナモジュールチューニング値を格納する格納部をさらに含んでもよい。
【００４９】
例えば、制御部１６０は、以下で説明するＡ−Ｏタイプ別にアンテナ放射特性パターンを事前定義し、ユーザが携帯端末機１００を把持する過程におけるアンテナ放射特性に該当するパターンにより、アンテナ周波数チューニング及び送信出力チューニングのうち少なくとも１つを制御することができる。これをより詳細に説明すれば、前記「Ａ−Ｏ」タイプは、ＴＭＮ２２０によってチューニングされなければならない値であって、ユーザの携帯端末機１００の把持形態により事前定義された周波数チューニング値であってもよい。すなわち、「Ａ−Ｏ」値は、携帯端末機１００の製造後にユーザの多様な把持形態により、アンテナ放射特性が最適化されるようにＴＭＮ２２０をチューニングする値であってもよい。この値は、携帯端末機１００が支援する周波数帯域別に変わるので、各携帯端末機１００の支援周波数帯域により実験的に取得される。
【００５０】
以下、上述した把持パターン別またはアンテナ放射特性変化別に提供される多様なタイプについて、さらに詳細に説明することにする。すなわち、以下で説明する多様なパターンは、上述した把持パターン別またはアンテナ放射特性変化別により適用される。
【００５１】
まず、上述した４個のグリップセンサの配置に基づき、ユーザの把持パターンを確認できる区分として全体１５個のケースに該当する把持パターンによるＡ−Ｏタイプ別ＴＭＮ２２０の周波数チューニングのためのパラメータ値を表３に示した。
【００５２】
【表１】
0006548860.tif 000002
【００５３】
前記表１に示した素子値は、一つの例示であり、前記Ａ−Ｏタイプ別パラメータ値の定義は、携帯端末機１００の製造特性や送受信する周波数特性などにより変わる。また、Ａ−Ｏタイプは、グリップセンサの個数の増加や減少、グリップセンサのセンシング形態などにより、さらに多くのタイプに拡張またはさらに少ない数のタイプに縮小される。
【００５４】
例えば、図１の第１〜第４のグリップセンサ（Ｔｏｕｃｈ  １、Ｔｏｕｃｈ  ２、Ｔｏｕｃｈ  ３、Ｔｏｕｃｈ  ４）に基づき、Ａタイプは、第１グリップセンサ（Ｔｏｕｃｈ  １）が一定の値以上で把持され、他のグリップセンサが一定の値以下で把持または把持されない場合に対応するアンテナモジュールチューニング値に該当する。Ｂタイプは、第２グリップセンサ（Ｔｏｕｃｈ  ２）が把持された状態、Ｃタイプは、第３グリップセンサ（Ｔｏｕｃｈ  ３）が把持された状態、Ｄタイプは、第４グリップセンサ（Ｔｏｕｃｈ  ４）が把持された状態に該当するアンテナモジュールチューニング値に該当する。
【００５５】
Ｅタイプは、第１グリップセンサ及び第２グリップセンサ（Ｔｏｕｃｈ  １、Ｔｏｕｃｈ  ２）が一定の圧力値以上で把持され、他のグリップセンサが一定の値以下で把持または把持されない状態に該当するアンテナモジュールチューニング値であってもよい。Ｆタイプは、第１グリップセンサ及び第３グリップセンサ（Ｔｏｕｃｈ  １、Ｔｏｕｃｈ  ３）が把持された状態、Ｇタイプは、第１グリップセンサ及び第４グリップセンサ（Ｔｏｕｃｈ  １、Ｔｏｕｃｈ  ４）が把持された状態、Ｈタイプは、第２グリップセンサ及び第３グリップセンサ（Ｔｏｕｃｈ  ２、Ｔｏｕｃｈ  ３）が把持された状態、Ｉタイプは、第２グリップセンサ及び第４グリップセンサ（Ｔｏｕｃｈ  ２、Ｔｏｕｃｈ  ４）が把持された状態、Ｊタイプは、第３グリップセンサ及び第４グリップセンサ（Ｔｏｕｃｈ  ３、Ｔｏｕｃｈ  ４）が把持された状態に該当するアンテナモジュールチューニング値であってもよい。
【００５６】
Ｋタイプは、第１グリップセンサ、第２グリップセンサ及び第３グリップセンサ（Ｔｏｕｃｈ  １、Ｔｏｕｃｈ  ２、Ｔｏｕｃｈ  ３）が一定の圧力値以上で把持され、第４グリップセンサ（Ｔｏｕｃｈ  ４）が把持されないか一定の圧力値以下で把持されたケースに該当するアンテナモジュールチューニング値であってもよい。Ｌタイプは、第１グリップセンサ、第２グリップセンサ及び第４グリップセンサ（Ｔｏｕｃｈ  １、Ｔｏｕｃｈ  ２、Ｔｏｕｃｈ  ４）が把持された状態、Ｍタイプは、第１グリップセンサ、第３グリップセンサ及び第４グリップセンサ（Ｔｏｕｃｈ  １、Ｔｏｕｃｈ  ３、Ｔｏｕｃｈ  ４）が把持された状態、Ｎタイプは、第２グリップセンサ、第３グリップセンサ及び第４グリップセンサ（Ｔｏｕｃｈ  ２、Ｔｏｕｃｈ  ３、Ｔｏｕｃｈ  ４）が把持された状態に該当するアンテナモジュールチューニング値であってもよい。
【００５７】
Ｏタイプは、第１〜第４グリップセンサ（Ｔｏｕｃｈ１  〜  Ｔｏｕｃｈ  ４）が把持された状態に該当するアンテナモジュールチューニング値であってもよい。
【００５８】
一方、本発明の実施例に係る携帯端末機１００は、ＳＡＲ低減のために端末機の把持状態により送信出力を異ならせて調整することができる。例えば、携帯端末機１００は、端末機の把持タイプをａ−ｏタイプ別に１５個のステップに区分し、それぞれのタイプ別に送信出力を異ならせて調整するように支援する。すなわち、４個のグリップセンサが配置された場合、各グリップセンサのうち少なくとも１つが一定の圧力以上で把持された形態により、それぞれ区分された把持タイプを区分し、携帯端末機１００は、ＳＡＲ低減のために、各把持タイプ別に送信出力調整を異ならせて支援することができる。
【００５９】
これに対して、特定製品、例えば、ＧＳＭ（登録商標）８５０を基準として説明すれば、ＧＳＭ（登録商標）８５０の各タイプ別の送信出力調節は、下の表２〜表１６に示した通りである。
【００６０】
【表２】
0006548860.tif 000003
【００６１】
【表３】
0006548860.tif 000004
【００６２】
【表４】
0006548860.tif 000005
【００６３】
【表５】
0006548860.tif 000006
【００６４】
【表６】
0006548860.tif 000007
【００６５】
【表７】
0006548860.tif 000008
【００６６】
【表８】
0006548860.tif 000009
【００６７】
【表９】
0006548860.tif 000010
【００６８】
【表１０】
0006548860.tif 000011
【００６９】
【表１１】
0006548860.tif 000012
【００７０】
【表１２】
0006548860.tif 000013
【００７１】
【表１３】
0006548860.tif 000014
【００７２】
【表１４】
0006548860.tif 000015
【００７３】
【表１５】
0006548860.tif 000016
【００７４】
【表１６】
0006548860.tif 000017
【００７５】
上述したように本発明の携帯端末機１００は、前に説明したように、端末機の把持パターン別に送信出力の大きさを異ならせて定義することができる。前記表２〜１６における送信出力の大きさは、送信出力のセッティング値であって、送信機が出力しなければならない出力の大きさに関連するパラメータ値である。これにより、該当表に記載された送信出力のセッティング値が適用される送信機の基本出力により、実際に出力される出力値は変わる。
【００７６】
また、前記ｔｘ２ｇ［０］〜ｔｘ２ｇ［５］は、送信機に配置されたレジスタ値であって、それぞれ４個のレジスタを運用して送信機の送信出力を調節する。ここで、５番目のｔｘ２ｇ［５］は、予備レジスタであってもよい。これにより、該当レジスタには、固定値が記載されてもダミー値が記載されてもよい。
【００７７】
一方、上記説明では、ＧＳＭ（登録商標）８５０製品に適用する事例に対して説明したが、本発明がこれに限定されるものではなく、本発明は、ＥＤＧＥ８５０、またはＷＣＤＭＡ８５０、ＧＳＭ（登録商標）１９００、ＥＤＧＥ１９００、またはＷＣＤＭＡ１９００等、多様な製品に適用される。例えば、ＧＳＭ（登録商標）８５０に適用される特定タイプの送信出力は、他の製品において下の表のように適用される。
【００７８】
【表１７】
0006548860.tif 000018
【００７９】
【表１８】
0006548860.tif 000019
【００８０】
【表１９】
0006548860.tif 000020
【００８１】
上記説明において、ＧＳＭ（登録商標）１９００、ＥＤＧＥ１９００のグリップセンサの最大電源セッティング値は２４８であり、ＧＳＭ（登録商標）８５０、ＥＤＧＥ８５０のグリップセンサの最大電源セッティング値は、２６４に設定される。
【００８２】
上述したように、各製品別に製品の製造特性と製品が運用される通信特性に応じて、ＳＡＲ低減のために送信出力の大きさが異ならせて調整される。上述した各製品別について、上記したＧＳＭ（登録商標）８５０製品のようにそれぞれの送信出力調整が把持パターン別に行われる。
【００８３】
上述したアンテナモジュールチューニングのためのグリップセンサパターンまたは送信出力調整のためのグリップセンサパターンを要約すれば、下の表２０の通りである。
【表２０】
0006548860.tif 000021
上述した表２０において、横軸はタイプであり、縦軸はグリップセンサである。
以上で説明したように、アンテナチューニング及び電力制御のうち少なくとも１つにより、本発明のＳＡＲ低減は、表２１のように達成される。
【表２１】
0006548860.tif 000022
【００８４】
一方、上述した説明では、アンテナチューニングステップ及び送信出力調節ステップをＡ−Ｏタイプ別またはａ−ｏタイプ別に１５個のステップに区分されるように説明するが、本発明がこれに限定されるものではなく、さらに多くのタイプ、例えば、２０個やそれ以上のタイプに区分して運用することもある。すなわち、本発明の実施例に係る携帯端末機１００は、把持形態により、複数の事前に定義されたタイプに区分し、区分されたタイプにより特定の把持形態に最適化されたアンテナチューニングを行い、送信出力を調節し、アンテナチューニングと送信出力を共に調節することにより、ＳＡＲ低減を達成することができる。
【００８５】
すなわち、制御部１６０は、ユーザが端末機の把持を特定タイプで把持した場合、アンテナチューニング及び送信出力調節のうち少なくとも１つを該当把持されたタイプに対応するように行い、該当把持形態によるＳＡＲ低減を最適化するように支援することができる。これのために、特定の把持パターンによるアンテナチューニング値及び送信出力調節値は、事前に定義されることができる。前記アンテナチューニング値及び送信出力調節値は、上記に言及したように、各製品の製造特性別または製品の通信運用特性別に変わる。
【００８６】
上述した携帯端末機１００は、その提供形態によって、近距離通信のための近距離通信モジュール、上述したように被写体の静止画像／動画を撮影するためのカメラモジュール、前記携帯端末機１００の有線通信方式または無線通信方式によるデータ送受信のためのインターフェース、インターネットネットワークと通信してインターネット機能を行うインターネット通信モジュール、およびデジタル放送受信と再生機能を行うデジタル放送モジュールなどのように、上記で言及されていない構成をさらに含んでもよい。このような構成要素は、デジタル機器のコンバージェンス（ｃｏｎｖｅｒｇｅｎｃｅ）傾向により変形が非常に多様で、全部列挙することはできないが、上記言及された構成要素と同等な水準の構成要素が前記デバイスにさらに含まれて構成されてもよい。また、本発明の携帯端末機１００は、その提供形態により、前記構成から特定構成が除外されるか又は他の構成に代替可能であることはもちろんである。これは、本技術分野の通常の知識を有する者には容易に理解できるだろう。
また、本発明の実施形態に係る前記携帯端末機１００は、グリップセンサとアンテナチューニングモジュールを含む装置であって、多様な通信システムに対応する通信プロトコル（ｃｏｍｍｕｎｉｃａｔｉｏｎ  ｐｒｏｔｏｃｏｌｓ）に基づいて動作する全ての移動通信端末機（ｍｏｂｉｌｅ  ｃｏｍｍｕｎｉｃａｔｉｏｎ  ｔｅｒｍｉｎａｌｓ）をはじめとして、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートブック（Ｎｏｔｅｂｏｏｋ）、およびハンドヘルドＰＣなど全ての情報通信機器とマルチメディア機器およびそれに対する応用機器を含んでもよい。
【００８７】
以上、本発明を幾つかの好ましい実施形態を用いて説明したが、これら実施形態は例示的なもので、限定的なものではない。このように本発明が属する技術分野で通常の知識を有する者であれば、本発明の思想と添付された特許請求の範囲に提示された権利範囲から外れず、均等論により多様な変化および修正を加えることが可能であることを理解できるだろう。
【符号の説明】
【００８８】
１００：携帯端末機
１１０：通信部
１２０：入力部
１３０：オーディオ処理部
１４０：表示部
１５０：格納部
１５１：制御テーブル
１６０：制御部
１６１：センサ信号収集部
１６３：パターン確認部
１６４：アンテナ帯域調節部
１６５：アンテナ制御部
１６６：アンテナ電力調節部
【図１】
0006548860.tif 000023
【図２】
0006548860.tif 000024
【図３】
0006548860.tif 000025
【図４】
0006548860.tif 000026
【図５】
0006548860.tif 000027